(57)【要約】  押圧荷重に応じて複数段階の入力を受け付ける電子機器であって、制御部は、第１段階の入力を受け付けた後、荷重検出部が、第１段階の入力の受け付けを解除する第１の荷重基準を満たし、かつ、第１の荷重基準より高い第２段階の入力を受け付ける第２の荷重基準を満たしていない押圧荷重を所定時間連続して検出すると、第１の荷重基準および第２の荷重基準のうち少なくとも一方の荷重基準を、前記第１の荷重基準から前記第２の荷重基準までの間隔が広がるように制御する。
2011099361.tif 000002
【特許請求の範囲】
【請求項１】
押圧荷重に応じて複数段階の入力を受け付ける電子機器であって、
押圧による入力の押圧荷重を検出する荷重検出部と、
前記荷重検出部が、入力を受け付ける荷重基準を満たす押圧荷重を検出すると、入力を受け付け、入力を受け付けた後、入力の受け付けを解除する荷重基準を満たさない押圧荷重を検出すると、前記入力の受け付け状態を解除するように制御する制御部と、を備え、
前記制御部は、第１段階の入力を受け付けた後、前記荷重検出部が、第１段階の入力の受け付けを解除する第１の荷重基準を満たし、かつ、前記第１の荷重基準より高い第２段階の入力を受け付ける第２の荷重基準を満たしていない押圧荷重を所定時間連続して検出すると、前記第１の荷重基準および前記第２の荷重基準のうち少なくとも一方の荷重基準を、前記第１の荷重基準から前記第２の荷重基準までの間隔が広がるように制御することを特徴とする電子機器。
【請求項２】
押圧荷重に応じて複数段階の入力を受け付ける電子機器であって、
押圧による入力の押圧荷重を検出する荷重検出部と、
前記荷重検出部が、入力を受け付ける荷重基準を満たす押圧荷重を検出すると、入力を受け付け、入力を受け付けた後、入力の受け付けを解除する荷重基準を満たさない押圧荷重を検出すると、前記入力の受け付け状態を解除するように制御する制御部と、を備え、
前記制御部は、第１段階の入力を受け付けた後、前記荷重検出部が、第１段階の入力の受け付けを解除する第１の荷重基準を満たし、かつ、前記第１の荷重基準より高い第２段階の入力を受け付ける第２の荷重基準を満たしていない押圧荷重を所定時間連続して検出すると、前記第１の荷重基準および前記第２の荷重基準第１のうち少なくとも一方の荷重基準を、当該荷重基準から前記荷重検出部が検出している押圧荷重までの間隔が広がるように制御することを特徴とする電子機器。
【請求項３】
押圧荷重に応じて複数段階の入力を受け付ける電子機器であって、
タッチを検出するタッチセンサと、
前記タッチセンサのタッチ面に対する押圧荷重を検出する荷重検出部と、
前記荷重検出部が、入力を受け付ける荷重基準を満たす押圧荷重を検出すると、入力を受け付け、入力を受け付けた後、入力の受け付けを解除する荷重基準を満たさない押圧荷重を検出すると、前記入力の受け付け状態を解除するように制御する制御部と、を備え、
前記制御部は、第１段階の入力を受け付けた後、前記荷重検出部が、第１段階の入力の受け付けを解除する第１の荷重基準を満たし、かつ、前記第１の荷重基準より高い第２段階の入力を受け付ける第２の荷重基準を満たしていない押圧荷重を検出している際に、前記タッチ面をタッチしているタッチ対象によるスライドを検出すると、前記第１の荷重基準および前記第２の荷重基準のうち少なくとも一方の荷重基準を、前記第１の荷重基準から前記第２の荷重基準までの間隔が広がるように制御することを特徴とする電子機器。
【請求項４】
押圧荷重に応じて複数段階の入力を受け付ける電子機器であって、
タッチを検出するタッチセンサと、
前記タッチセンサのタッチ面に対する押圧荷重を検出する荷重検出部と、
前記荷重検出部が、入力を受け付ける荷重基準を満たす押圧荷重を検出すると、入力を受け付け、入力を受け付けた後、入力の受け付けを解除する荷重基準を満たさない押圧荷重を検出すると、前記入力の受け付け状態を解除するように制御する制御部と、を備え、
前記制御部は、第１段階の入力を受け付けた後、前記荷重検出部が、第１段階の入力の受け付けを解除する第１の荷重基準を満たし、かつ、前記第１の荷重基準より高い第２段階の入力を受け付ける第２の荷重基準を満たしていない押圧荷重を検出している際に、前記タッチ面をタッチしているタッチ対象によるスライドを検出すると、前記第１の荷重基準および前記第２の荷重基準のうち少なくとも一方の荷重基準を、当該荷重基準から前記荷重検出部が検出している押圧荷重までの間隔が広がるように制御することを特徴とする電子機器。
【発明の詳細な説明】
【技術分野】
【０００１】
本発明は、電子機器に関するものであり、特に、押圧荷重に応じて、入力を複数段階で受け付ける電子機器に関するものである。
【背景技術】
【０００２】
従来、携帯電話機やデジタルカメラ等の電子機器には、ユーザが操作入力を行うための入力手段として、タクトスイッチやメンブレンスイッチ等のメカスイッチ（メカニカルスイッチ）が使用されている。特に、最近では、小型の端末機器に種々の多彩な機能が搭載されていることが多く、そのような端末機器の筐体表面には、各種のスイッチで構成されるキーやボタンなどが配設されている。【０００３】
このようなスイッチは、通常、１つのスイッチに対して１つの動作（またはプログラム）が割り当てられている。例えば、携帯電話機の場合、テンキーに対して押圧入力が検知されると、各キーに対応する数字が出力されたり、またメニューキーに対して押圧入力が検知されると、メニュー画面が表示されたりする。【０００４】
しかしながら、複数の動作を連続して行いたい場合などに、ひとつひとつの動作を、それぞれの動作が割り当てられた別個のスイッチを用いて行うと、非常に手間がかかり面倒な操作となる場合がある。そこで、１つのスイッチを使用して、そのスイッチに入力が検知されるたびに複数の動作が順番に実行されるような設定が考えられるが、このような入力方式の場合、動作が実行される順番を予め規定しなければならない。そのため、ユーザが所望する任意の動作が即座に実行されるような操作を行うことはできない。【０００５】
以上のような問題に対処し得るものとして、１つのスイッチに対する入力の態様に応じて、複数の動作を割り当てることができる入力装置が提案されている（例えば、特許文献１参照）。【０００６】
この特許文献１に記載の入力装置は、操作を行う際の入力にかかる押圧荷重に応じて、入力を２段階で受け付けることができる。【０００７】
図８は、特許文献１に記載の操作装置１００の内部構造を概略的に示す断面図である。図８に示すように、この操作装置１００は、第１の検出手段２００および第２の検出手段３００共にメンブレンスイッチで構成されており、第１の検出手段２００の（押圧する方向の）下方に、第２の検出手段３００を設けている。ユーザの指Ｆが直接触れる部分は可撓性の部材で構成され、ユーザが操作装置１００を押圧すると、この可撓性部材が撓むことにより、その押圧荷重を第１の検出手段２００に伝達する。ユーザが指Ｆを低加重（第１の操作力）で第１の接点Ｓ３に対応する位置を押し下げると、第１の上側導電部２０１ｃと第１の下側導電部２０２ｃとが互いに接触して第１の接点Ｓ３が導通し、これを第１段階の入力としている。さらに、前記低加重よりも大きな高加重（第２の操作力）をかけて指Ｆを押し下げると、第２の上側導電部３０１ｃと第２の下側導電部３０２ｃとが接触して第２の接点Ｔ３が導通し、これを第２段階の入力としている。なお、図８においては、操作装置１００に対してユーザの指Ｆの第２の操作力による押圧が行われたことにより、第１の接点Ｓ３が第１段階の入力を検知したのみならず、第２の接点Ｔ３が第２段階の入力まで検知した様子を示している。【０００８】
このような入力装置は、ユーザの入力の押圧荷重に応じて入力を２段階で受け付けることにより、これらの各段階に異なる動作を割り当てることができる。このような入力装置を用いた場合、ユーザは、１つのスイッチ（入力装置）を用いて、このスイッチに対して押圧入力を行うという１つの動作を行う際の押圧力を調整することにより、複数の入力を区別して行うことができる。【０００９】
すなわち、このような２段階の入力を受け付ける入力装置によれば、ユーザが弱い押圧力によってボタンを押圧する状態を保つことにより、１段目の入力を行うことができる。このような入力状態は、「半押し」とも称され、以下、「第１段階の入力」と記す。また、このような入力装置によれば、ユーザが第１段階の入力よりも強い押圧力によってボタンを押し込むことにより、２段目の入力を行うことができる。このような入力状態は、「全押し」とも称され、以下、「第２段階の入力」と記す。【００１０】
このようなメカスイッチにより、押圧荷重に応じて２段階で入力を受け付ける入力装置の典型的な用途の例として、カメラのシャッターボタンが存在する。通常、デジタルカメラなどの機能を搭載した携帯端末などにおいては、ユーザが第１段階の入力を行う「半押し」の入力を行うことにより、ＡＥ（Auto Exposure（自動露出））やＡＦ（Auto Focus
（オートフォーカス））機能をオンにすることができる。その状態で、ユーザが第２段階の入力を行う「全押し」の入力を行うことにより、シャッターを切る動作を行うことができる。このように、第１段階の入力と、第２段階の入力とで異なる動作を割り当てることができ、なおかつ、ユーザは、その異なる動作を所望に応じて区別して操作することができる。【００１１】
なお、押圧荷重に応じて複数段階の入力を受け付ける入力装置は、メカスイッチに限定されるものではない。例えば、表示装置と位置入力装置とを組み合わせて構成したタッチパネル式の入力装置においても、ソフトウェアによる処理を行うことにより、押圧荷重に応じて複数段階の入力を受け付ける入力装置が提案されている（例えば、特許文献２参照）。【００１２】
この特許文献２に記載のタッチパネル式入力装置は、表示画面の表面部に設けられるタッチパネルの押圧操作位置を検出する位置検出手段と、タッチパネルに対する押圧操作力を検出する圧力検出手段とを備えている。この入力装置は、タッチパネルの１回の押圧操作により、位置検出手段の検出位置に応じた入力と、圧力検出手段の検出に応じた多段階の入力との２系統の入力を行うことができる。【００１３】
この入力装置によれば、ユーザが表示画面上のタッチパネルを押圧操作した際に、その押圧操作位置によって、第１系統の入力を行うことができ、同時に、その際のタッチパネルに対する押圧力によって、第２系統の入力を行うことができる。このとき、タッチパネルに対する押圧力に応じて、多段階、すなわち３段階以上の選択が可能となる。したがって、ユーザは、タッチパネルに１回の押圧操作を行うことにより、２系統の入力を行うことができ、押圧操作を行う回数を低減することができる。【００１４】
このように、メカスイッチを用いた入力装置においても、またタッチパネルを用いた入力装置においても、押圧荷重に応じて複数段階で入力を受け付けることができる。このような入力装置では、押圧荷重に応じて入力を複数段階に区別して受け付けることにより、複数の機能を１つのボタンやキーに集約できるため、操作入力に係るキーやボタンの数を低減することができる。特に、携帯端末のような小型の端末の場合には、端末の筐体が小型であるため、あまり多くのキーやボタンを端末本体に配設することは困難である。したがって、携帯端末において、少ないキーやボタンを用いることにより複数の機能を使い分けることができれば、端末本体に配設しなければならないキーやボタンを減らすことができる。
【先行技術文献】
【特許文献】
【００１５】
【特許文献１】特開２００６−１３４６０９号公報
【特許文献２】特開２００６−０３９７４５号公報
【発明の概要】
【００１６】
しかしながら、特許文献１に記載の操作装置１００においては、第１の検出手段２００のメンブレンスイッチおよび第２の検出手段３００のメンブレンスイッチのそれぞれの配置構成などの各仕様は、設計時または製造時に既に規定されているものである。また、メンブレンスイッチを構成する部材の可撓性の度合いなども、製品製造時に決まるものであり、このような構成の仕様を後から変更することは困難である。
【００１７】
そのため、このような入力装置において、どの程度の押圧荷重により第１段階の入力が受け付けられ、またどの程度の押圧荷重により第２段階の入力が受け付けられるのかは、ユーザが実際に入力操作を行い、試行錯誤により感覚的に把握するしかない。すなわち、それぞれのユーザが、入力装置が要求する規定された押圧荷重に自らの押圧力を適合させる必要がある。
【００１８】
一般に、細かい作業や、手先の微妙な力加減の調整は、ユーザの得手不得手による個人差が激しい。したがって、手先の器用な人にとっては特別な困難なく自然に行うことができるような態様の入力操作であっても、全てのユーザがそのような入力操作に即座に対応できるとは限らない。
【００１９】
そのため、ユーザは入力装置に第１段階の入力のみに留めたいにもかかわらず、微妙な力加減の適切な調整ができずに押圧力を加え過ぎてしまい、意図せずに第２段階の入力までしてしまう虞がある。また、ユーザは第１段階の入力が受け付けられたのち、その第１段階の入力が受け付けられた状態を保持したいにもかかわらず、力加減の適切な調整ができず押圧力を減じてしまい、意図せず第１段階の入力の受け付けられた状態が解除されてしまう虞がある。特に、押圧による入力操作を行う際の荷重の程度は、ユーザが目視できるものではないため、ユーザはどの程度の押圧力を調整すれば、各段階の入力が受け付けられるのか、または入力が受け付けられた状態が解除されるのかを正確に把握することは困難である。
【００２０】
このような事情は、上記特許文献２の場合においても同様である。特許文献２に記載のタッチパネル式入力装置は、圧力検出手段が受け付ける押圧荷重の閾値を予め設定しておかなければ、押圧荷重に応じて複数段階で入力を区別して受け付けることはできない。したがって、入力装置が要求する規定された押圧荷重に、それぞれのユーザが、自らの押圧力を適合させなければならない。そのため、ユーザによっては、微妙な力加減の適切な調整ができずに押圧力を加え過ぎてしまい、または、押圧力を減じ過ぎてしまい、第１段階の入力で留めたいにもかかわらず、意図せずに第２段階の入力までしてしまう、または、意図せず第１段階の入力が解除されてしまうという問題がある。
【００２１】
なお、上記特許文献２に記載のタッチパネル式入力装置は、メカスイッチを用いているのではなく、圧力検出手段が受け付ける押圧荷重に基づいて、制御部がソフトウェア的に制御を行うことができる。そのため、制御部における設定の変更により、圧力検出手段が押圧荷重を受け付ける閾値を後から変更することが可能であると考えられる。
【００２２】
しかしながら、ユーザを変更するたびに、そのユーザに合わせて、圧力検出手段が押圧荷重を受け付ける閾値を変更し直すことは、極めて煩雑な作業となる。さらに、同じユーザが操作する場合であっても、ユーザが操作を行う際の押圧荷重は、その操作を行う場合によって変動するのが普通である。したがって、やはり、ユーザが押圧力を加え過ぎてしまい、または、押圧力を減じ過ぎてしまい、第１段階の入力で留めたいにもかかわらず、意図せずに第２段階の入力までしてしまう、または、意図せず第１段階の入力が解除されてしまうという問題は解消することはできない。
【００２３】
このように、ユーザの意図しない入力がなされてしまうと、入力装置にとっては正当な処理手順にしたがって動作を行っているだけであるが、ユーザにとっては誤動作でしかない。例えば、上記した入力装置をカメラのシャッターボタンに適用した場合、ユーザの押圧力の調整が適切になされずに、第１段階の入力を超えて一気に第２段階の入力まで受け付けてしまうと、ＡＥ及び/又はＡＦ機能が適切に動作する前にシャッターを切ってしまう。この場合、ＡＥ及び/又はＡＦ機能が適切に動作せずに、ピント外れの画像が撮影されたりする虞がある。また、第１段階の入力が受け付けられている際に、ユーザの押圧力が意図せず減じてしまうと、第１段階の入力の受け付けが解除されてしまい、ＡＥ及び/又はＡＦ機能による露出やフォーカスの調整中にＡＥ及び/又はＡＦ機能が停止してしまう。このように、露出やフォーカスの調整中にＡＥ及び/又はＡＦ機能が停止したのにも関わらず、ＡＥ及び/又はＡＦ機能による露出、フォーカスの調整が完了したとユーザによって誤って判断されてしまい、適切な露出やフォーカスがされていない状態のまま、ユーザがシャッターを切る動作を行ってしまう虞がある。
【００２４】
したがって、かかる事情に鑑みてなされた本発明の目的は、押圧荷重に応じて入力を受け付ける電子機器において、ユーザの意図しない入力の受け付け又は解除がなされる虞を低減する電子機器を提供することにある。
【００２５】
上記した課題を解決すべく、第１の発明による電子機器は、押圧荷重に応じて複数段階の入力を受け付ける電子機器であって、押圧による入力の押圧荷重を検出する荷重検出部と、前記荷重検出部が、入力を受け付ける荷重基準を満たす押圧荷重を検出すると、入力を受け付け、入力を受け付けた後、入力の受け付けを解除する荷重基準を満たさない押圧荷重を検出すると、前記入力の受け付け状態を解除するように制御する制御部と、を備え、前記制御部は、第１段階の入力を受け付けた後、前記荷重検出部が、第１段階の入力の受け付けを解除する第１の荷重基準を満たし、かつ、前記第１の荷重基準より高い第２段階の入力を受け付ける第２の荷重基準を満たしていない押圧荷重を所定時間連続して検出すると、前記第１の荷重基準および前記第２の荷重基準のうち少なくとも一方の荷重基準を、前記第１の荷重基準から前記第２の荷重基準までの間隔が広がるように制御することを特徴とする。
【００２６】
また、第２の発明による電子機器は、押圧荷重に応じて複数段階の入力を受け付ける電子機器であって、押圧による入力の押圧荷重を検出する荷重検出部と、前記荷重検出部が、入力を受け付ける荷重基準を満たす押圧荷重を検出すると、入力を受け付け、入力を受け付けた後、入力の受け付けを解除する荷重基準を満たさない押圧荷重を検出すると、前記入力の受け付け状態を解除するように制御する制御部と、を備え、前記制御部は、第１段階の入力を受け付けた後、前記荷重検出部が、第１段階の入力の受け付けを解除する第１の荷重基準を満たし、かつ、前記第１の荷重基準より高い第２段階の入力を受け付ける第２の荷重基準を満たしていない押圧荷重を所定時間連続して検出すると、前記第１の荷重基準および前記第２の荷重基準のうち少なくとも一方の荷重基準を、当該荷重基準から前記荷重検出部が検出している押圧荷重までの間隔が広がるように制御することを特徴とする。
【００２７】
また、第３の発明による電子機器は、押圧荷重に応じて複数段階の入力を受け付ける電子機器であって、タッチを検出するタッチセンサと、前記タッチセンサのタッチ面に対する押圧荷重を検出する荷重検出部と、前記荷重検出部が、入力を受け付ける荷重基準を満たす押圧荷重を検出すると、入力を受け付け、入力を受け付けた後、入力の受け付けを解除する荷重基準を満たさない押圧荷重を検出すると、前記入力の受け付け状態を解除するように制御する制御部と、を備え、前記制御部は、第１段階の入力を受け付けた後、前記荷重検出部が、第１段階の入力の受け付けを解除する第１の荷重基準を満たし、かつ、前記第１の荷重基準より高い第２段階の入力を受け付ける第２の荷重基準を満たしていない押圧荷重を検出している際に、前記タッチ面をタッチしているタッチ対象によるスライドを検出すると、前記第１の荷重基準および前記第２の荷重基準のうち少なくとも一方の荷重基準を、前記第１の荷重基準から前記第２の荷重基準までの間隔が広がるように制御することを特徴とする。
【００２８】
また、第４の発明による電子機器は、押圧荷重に応じて複数段階の入力を受け付ける電子機器であって、タッチを検出するタッチセンサと、前記タッチセンサのタッチ面に対する押圧荷重を検出する荷重検出部と、前記荷重検出部が、入力を受け付ける荷重基準を満たさない状態から満たす状態に変化する押圧荷重を検出すると、入力を受け付け、入力を受け付けた後、入力の受け付けを解除する荷重基準を満たす状態から満たさない状態に変化する押圧荷重を検出すると、前記入力の受け付け状態を解除するように制御する制御部と、を備え、前記制御部は、第１段階の入力を受け付けた後、前記荷重検出部が、第１段階の入力の受け付けを解除する第１の荷重基準を満たし、かつ、前記第１の荷重基準より高い第２段階の入力を受け付ける第２の荷重基準を満たしていない押圧荷重を検出している際に、前記タッチ面をタッチしているタッチ対象によるスライドを検出すると、当該荷重基準から前記荷重検出部が検出している押圧荷重までの間隔が広がるように制御することを特徴とする。
【００２９】
上述した電子機器によれば、第１段階の入力を受け付けた後、第１段階の入力の受け付けを解除する第１の荷重基準および第２段階の入力を受け付ける第２の荷重基準のうち少なくとも一方の荷重基準を制御することにより、ユーザの意図しない入力の受け付け又は解除が行われる虞を低減することができる。
【図面の簡単な説明】
【００３０】
【図１】本発明の実施の形態に係る電子機器の機能ブロック図である。
【図２】本発明の第１実施の形態に係る電子機器による入力処理を説明するフローチャートである。
【図３】本発明の第１実施の形態に係る電子機器の荷重検出部によって検出される押圧荷重が変化する様子を表したグラフである。
【図４】本発明の第２実施の形態に係る電子機器の荷重検出部によって検出される押圧荷重が変化する様子を表したグラフである。
【図５】本発明の第３実施の形態に係る電子機器による入力処理を説明するフローチャートである。
【図６】本発明の第３実施の形態に係る電子機器の荷重検出部によって検出される押圧荷重が変化する様子を表したグラフである。
【図７】本発明の第４実施の形態に係る電子機器の荷重検出部によって検出される押圧荷重が変化する様子を表したグラフである。
【図８】従来技術による操作装置の内部構造を概略的に示す断面図である。
【符号の説明】
【００３１】
１１  タッチセンサ
１１ａ  タッチ面
１２  荷重検出部
１３  触感呈示部
１４  表示部
１５  記憶部
１６  制御部
【発明を実施するための形態】
【００３２】
以下、本発明に係る電子機器の実施の形態について、図を参照して説明する。
【００３３】
（第１実施の形態）
図１は、本発明の実施の形態に係る電子機器の機能ブロック図である。図１に示すように、電子機器は、タッチセンサ１１、荷重検出部１２、触感呈示部１３、表示部１４、記憶部１５、および、全体の動作を制御する制御部１６を有する。
【００３４】
タッチセンサ１１は、そのタッチ面１１ａに対する指やスタイラスペンなどのタッチ対象によるタッチを検出するもので、抵抗膜方式、静電容量方式、光学式等で構成して、表示部１４上に配置する。荷重検出部１２は、押圧による入力の押圧荷重を検出するものであり、例えば、タッチセンサ１１のタッチ面１１ａに対する押圧荷重を検出する。荷重検出部１２は、例えば、歪みゲージセンサや圧電素子等の荷重に対して反応する素子を用いて構成する。触感呈示部１３は、タッチセンサ１１を振動させるもので、例えば、圧電素子を用いて構成する。
【００３５】
表示部１４は、押しボタンスイッチ（プッシュ式ボタンスイッチ）のような入力ボタン等の入力用オブジェクトを表示するもので、例えば、液晶表示パネルや有機ＥＬ表示パネル等を用いて構成する。この表示部１４に表示された入力用オブジェクトに対するタッチ対象によるタッチは、タッチセンサ１１から出力される位置情報に基づいて制御部１６により検出される。
【００３６】
記憶部１５は、各種アプリケーションおよび入力された各種情報などを記憶するとともに、ワークメモリなどとしても機能する。特に、本実施の形態では、記憶部１５は各段階の入力を受け付ける荷重基準および入力の受け付けを解除する荷重基準を記憶するとともに、荷重検出部１２が検出するタッチ面１１ａに対する押圧荷重などを、制御部１６が処理するために一時的に記憶する。
【００３７】
制御部１６は、例えばＣＰＵ等からなり、タッチセンサ１１からの位置情報、荷重検出部１２からの押圧荷重情報に基づいて各部の動作を制御する。
【００３８】
次に、本実施の形態に係る電子機器による入力処理について説明する。図２は、本実施の形態に係る電子機器による入力処理の流れを説明するフローチャートである。
【００３９】
先ず、制御部１６は、タッチセンサ１１のタッチ面１１ａに対する指等のタッチ対象によるタッチを検出し、さらに、荷重検出部１２により検出される指等のタッチ対象によるタッチに係る押圧荷重が第１段階の入力を受け付ける第１の荷重基準（「第１の入力受付荷重基準」と称する）Ｆａ１を満たしているか否か判断する（ステップＳ１０１）。荷重検出部１２により検出される押圧荷重が第１の入力受付荷重基準Ｆａ１を満たしている場合、制御部１６は、第１段階の入力を受け付け、電子機器において規定された第１段階の入力に対応する動作を行うように処理する（ステップＳ１０２）。例えば、電子機器が撮像機能による撮像を行っている場合には、ステップＳ１０２の処理は、シャッターボタンが「半押し」された場合の動作である、ＡＥ及び/又はＡＦ機能によるＡＥ及び/又はＡＦ処理を開始する。
【００４０】
次に、制御部１６は、第１段階の入力が受け付けられたことをユーザに通知するために、タッチ面１１ａをタッチしている指に対して触感Ａを呈示するように触感呈示部１３を制御する（ステップＳ１０３）。ステップＳ１０３の後、制御部１６は、荷重検出部１２により検出されるタッチ対象によるタッチに係る押圧荷重が、第１段階の入力の受け付けを解除する第１の荷重基準（「第１の入力解除荷重基準」と称する）Ｆｒ１を満たし、かつ、第１の入力解除荷重基準より高い第２段階の入力を受け付ける第２の荷重基準（「第２の入力受付荷重基準」と称する）Ｆａ２を満たしていないか否か判断する（ステップＳ１０４）。ここで、制御部１６は、荷重検出部１２により検出されるタッチ対象によるタッチに係る押圧荷重が、第１の入力解除荷重基準Ｆｒ１を満たし、かつ、第２の入力受付荷重基準Ｆａ２を満たしていないと判断すると、ステップＳ１０５に進み、そのように判断されないと、ステップＳ１１３に進む。
【００４１】
ステップＳ１０５では、制御部１６は、荷重検出部１２が第１の入力解除荷重基準Ｆｒ１を満たし、かつ、第２の入力受付荷重基準Ｆａ２を満たしていない押圧荷重を所定時間連続して検出しているか否か判断する（ステップＳ１０５）。ステップＳ１０５で、荷重検出部１２が、第１の入力解除荷重基準Ｆｒ１を満たし、かつ、第２の入力受付荷重基準Ｆａ２を満たしていない押圧荷重を所定時間連続して検出していると判断されると、ステップＳ１０６に進み、所定時間連続して検出されていないと判断されると、ステップＳ１０４に戻る。
【００４２】
ステップＳ１０６にて、制御部１６は、第１の入力解除荷重基準Ｆｒ１および第２の入力受付荷重基準Ｆａ２のそれぞれを、第１の入力解除荷重基準Ｆｒ１から第２の入力受付荷重基準Ｆａ２までの間隔が広がるように制御する。つまり、制御部１６は、第１の入力解除荷重基準Ｆｒ１より低い荷重基準を新たに第１の入力解除荷重基準（「変更後の第１の入力解除荷重基準」と称する）Ｆｒ’１として設定すると共に、第２の入力受付荷重基準より高い荷重基準を新たに第２の入力受付荷重基準（「変更後の第２の入力受付荷重基準」と称する）Ｆａ’２として設定する。
【００４３】
ステップＳ１０６の後、制御部１６は、荷重検出部１２により検出されるタッチ対象によるタッチに係る押圧荷重が変更後の第２の入力受付荷重基準Ｆａ’２を満たしているか否か判断する（ステップＳ１０７）。荷重検出部１２により検出されるタッチ対象によるタッチに係る押圧荷重が変更後の第２の入力受付荷重基準Ｆａ’２を満たしている場合、制御部１６は、第２段階の入力を受け付け、電子機器において規定された第２段階の入力に対応する動作を行うように処理する（ステップＳ１０８）。例えば、電子機器が撮像機能による撮像を行っている場合には、ステップＳ１０８の処理は、シャッターボタンが「全押し」された場合の動作である、シャッターを切る動作を行う。その後、制御部１６は、第２段階の入力が受け付けられたことをユーザに通知するために、タッチ面１１ａをタッチしている指等のタッチ対象に対して触感Ｂを呈示するように触感呈示部１３を制御し（ステップＳ１０９）、本処理を終了する。なお、タッチ対象に対して呈示する触感Ｂは、ステップＳ１０３における触感Ａと同じ触感であってもよいし、異なる触感であってもよい。
【００４４】
一方、ステップＳ１０７にて、制御部１６は、荷重検出部１２により検出されるタッチ対象によるタッチに係る押圧荷重が変更後の第２の入力受付荷重基準Ｆａ’２を満たしていないと判断すると、次に、変更後の第１の入力解除荷重基準Ｆｒ’１を満たすか否か判断する（ステップＳ１１０）。ステップＳ１１０にて、制御部１６は、荷重検出部１２により検出されたタッチに係る押圧荷重が変更後の第１の入力解除荷重基準Ｆｒ’１を満たしていないと判断すると、第１段階の入力の受け付けを解除する（ステップＳ１１１）。例えば、ステップＳ１０２にて、第１の入力を受け付け、ＡＥ及び/又はＡＦ機能によるＡＥ及び/又はＡＦ処理を開始している場合には、第１の入力の受け付けを解除することにより、ＡＥ及び/又はＡＦ処理を停止する。ステップＳ１１１の後、制御部１６は、第１段階の入力の受け付けを解除したことをユーザに通知するために、タッチ面１１ａをタッチしている指等のタッチ対象に対して触感Ｃを呈示するように触感呈示部１３を制御し（ステップＳ１１２）、本処理を終了する。なお、タッチ対象に対して呈示する触感Ｃは、ステップＳ１０３やステップＳ１０９における触感Ａや触感Ｂと同じ触感であってもよいし、異なる触感であってもよい。一方、ステップＳ１１０にて、制御部１６は、荷重検出部１２により検出されるタッチ対象によるタッチに係る押圧荷重が変更後の第１の入力解除荷重基準Ｆｒ’１を満たしていると判断すると、ステップＳ１０７に戻る。
【００４５】
ステップＳ１０４にて、制御部１６は、荷重検出部１２が第１の入力解除荷重基準Ｆｒ１を満たし、かつ、第２の入力受付荷重基準Ｆａ２を満たしていない押圧荷重を検出していないと判断すると、ステップＳ１１３に進む。制御部１６は、荷重検出部１２により検出されるタッチ対象によるタッチに係る押圧荷重が第２の入力受付荷重基準Ｆａ２を満たしているか否か判断し、満たしていると判断するとステップＳ１０８に進み、満たしていないと判断すると、ステップＳ１１１に進む。
【００４６】
図３は、荷重検出部１２により検出される押圧荷重が変化する様子を表したグラフである。Ｘ軸方向は時間の推移を表し、Ｙ軸方向は荷重検出部１２が検出する押圧荷重を表す。図３において、ユーザがタッチセンサ１１のタッチ面１１ａをタッチした時点が原点であり、その時の押圧荷重は０である。
【００４７】
ユーザが、タッチ面１１ａにタッチした後、押圧力をタッチ面１１ａに加えることにより、荷重検出部１２が検出する押圧荷重が時間と共に増加する。ｔ１の時点で、荷重検出部１２が検出する押圧荷重が第１の入力受付荷重基準Ｆａ１に達し（を満たし）、第１段階の入力が受け付けられ、例えば、ＡＥ及び/又はＡＦ処理が開始される。この際、制御部１６は、タッチ面１１ａをタッチしているタッチ対象に対して触感を呈示するように触感呈示部１３を制御することにより、ユーザは、第１段階の入力が受け付けられたことを知ることができる。
【００４８】
ユーザは、ｔ１の時点で、触感が呈示されることにより、ＡＥ及び/又はＡＦ処理が開始されたことを認識して、ＡＥ及び/又はＡＦ処理が完了するまで、タッチ面１１ａに対する押圧力を一定に保とうとする。ここで、制御部１６は、荷重検出部１２が、第１の入力解除荷重基準Ｆｒ１を満たし、かつ、第２の入力受付荷重基準Ｆａ２を満たしていない押圧荷重を所定時間連続して検出すると、ｔ２の時点で、第１の入力解除荷重基準Ｆｒ１より低い荷重基準を新たに第１の入力解除荷重基準（変更後の第１の入力解除荷重基準）Ｆｒ’１として設定すると共に、第２の入力受付荷重基準より高い荷重基準を新たに第２の入力受付荷重基準（変更後の第２の入力受付荷重基準）Ｆａ’２として設定する。このように、制御部１６は、所定時間、荷重検出部１２により検出される押圧荷重が第１の入力解除荷重基準Ｆｒ１を満たし、かつ、第２の入力受付荷重基準Ｆａ２を満たしていない状態に保たれている場合には、ユーザが、引き続き第１の入力受付状態を維持するように押圧力を調整していると判断し、ユーザの意図しない押圧力の変化により、第１の入力の受け付けが解除されたり、新たに第２の入力が受け付けられたりしないように、第１の入力解除荷重基準Ｆｒ１および第２の入力受付荷重基準Ｆａ２をそれぞれ変更する。このように荷重基準を変更することにより、ｔ３の時点で、荷重検出部１２により変更前の第２の入力受付荷重基準Ｆａ２に達する（を満たす）押圧荷重が検出されたとしても、第２段階の入力として、新たな入力が受け付けられることはない。
【００４９】
ユーザは、ＡＥ及び/又はＡＦ処理が完了した後に、意識的に押圧力を強め、荷重検出部１２に変更後の第２の入力受付荷重基準Ｆａ’２を満たす押圧荷重を検出させることにより（ｔ４の時点）、シャッターを切ることができる。
【００５０】
このように、本実施の形態によれば、制御部１６は、荷重検出部１２が第１の入力解除荷重基準Ｆｒ１を満たし、かつ、第２の入力受付荷重基準Ｆａ２を満たしていない押圧荷重を所定時間連続したことを検出すると、第１の入力解除荷重基準Ｆｒ１より低い荷重基準を新たに第１の入力解除荷重基準Ｆｒ’１として設定すると共に、第２の入力受付荷重基準より高い荷重基準を新たに第２の入力受付荷重基準Ｆａ’２として設定する。したがって、第１段階の入力の受け付け状態を保ちたいにも関わらず、ユーザの意図しない押圧力の変化により、意図せず第１段階の入力の受け付けが解除されたり、第２段階の入力が新たに受け付けられたりする虞を低減することができる。
【００５１】
なお、本実施の形態においては、ステップＳ１０６において、第１の入力解除荷重基準Ｆｒ１および第２の入力受付荷重基準Ｆａ２を共に変更して、新たな荷重基準である第１の入力解除荷重基準Ｆｒ’１および第２の入力受付荷重基準Ｆａ’２を設定したが、これに限定されず、第１の入力解除荷重基準Ｆｒ１および第２の入力受付荷重基準Ｆａ２のうち一方の荷重基準のみ変更して、新たな荷重基準として、変更後の第１の入力解除荷重基準Ｆｒ’１と第２の入力受付荷重基準Ｆａ２、または第１の入力解除荷重基準Ｆｒ１と変更後の第２の入力受付荷重基準Ｆａ’２を設定してもよい。この際、制御部１６は、変更後の第１の入力解除荷重基準Ｆｒ’１から第２の入力受付荷重基準Ｆａ２までの間隔、または第１の入力解除荷重基準Ｆｒ１から変更後の第２の入力受付荷重基準Ｆａ’２までの間隔が、第１の入力解除荷重基準Ｆｒ１から第２の入力受付荷重基準Ｆａ２までの間隔よりも広がるように制御すればよい。
【００５２】
（第２実施の形態）
次に、本発明の第２実施の形態に係る電子機器について説明する。本発明の第２実施の形態は、上述した第１実施の形態において、図２で説明したステップＳ１０６における新たな荷重基準の設定の仕方を変更する。第２実施の形態に係る電子機器は、第１実施の形態で説明した電子機器と同じ構成により実施することができ、制御部１６の処理および動作が異なるものである。したがって、上述した第１実施の形態と同じ説明、同じ効果の記載は適宜省略する。
【００５３】
第２実施の形態について、第１実施の形態と同様に、図２のフローチャートを用いて入力処理を説明する。第２実施の形態では、制御部１６は、ステップＳ１０５にて、荷重検出部１２が、第１の入力解除荷重基準Ｆｒ１を満たし、かつ、第２の入力受付荷重基準Ｆａ２を満たしていない押圧荷重を所定時間連続して検出していると判断すると、ステップＳ１０６の処理を変更して、以下の処理を行う。この処理をステップＳ２０６の処理と称する。ステップＳ２０６にて、制御部１６は、ステップＳ１０５における所定時間経過後の時点に荷重検出部１２が検出している押圧荷重に基づき、新たに荷重基準を設定する。ステップＳ１０５における所定時間経過後の時点に荷重検出部１２が検出している押圧荷重をＡ、第１の入力解除荷重基準Ｆｒ’１から第２の入力受付荷重基準Ｆａ’２までの間隔をＢとすると、ステップＳ２０６にて、変更後の第１の入力解除荷重基準Ｆｒ’１をＦｒ’１＝Ａ−Ｂ／２で表される荷重基準に、変更後の第２の入力受付荷重基準Ｆａ’２をＦａ’２＝Ａ＋Ｂ／２で表される荷重基準に変更して設定する。
【００５４】
図４は、荷重検出部１２により検出される押圧荷重が変化する様子を表したグラフである。Ｘ軸方向は時間の推移を表し、Ｙ軸方向は荷重検出部１２が検出する押圧荷重を表す。図４において、ユーザがタッチセンサ１１のタッチ面１１ａをタッチした時点が原点であり、その時の押圧荷重は０である。
【００５５】
第２実施の形態において、制御部１６は、第１段階の入力受け付けた後、荷重検出部１２が、第１の入力解除荷重基準Ｆｒ１を満たし、かつ、第２の入力受付荷重基準Ｆａ２を満たしていない押圧荷重を所定時間連続して検出すると、ｔ２の時点で検出している押圧荷重Ａと、第１の入力解除荷重基準Ｆｒ１から第２の入力受付荷重基準Ｆａ２までの間隔をＢから、新たに第１の入力解除荷重基準（変更後の第１の入力解除荷重基準）Ｆｒ’１（Ｆｒ’１＝Ａ−Ｂ／２）を設定すると共に、新たに第２の入力受付荷重基準（変更後の第２の入力受付荷重基準）Ｆａ’２（Ｆａ’２＝Ａ＋Ｂ／２）設定する。このように、第１の入力解除荷重基準および第２の入力受付荷重基準をｔ２の時点において荷重検出部１２が検出している押圧荷重に基づき新たに設定することにより、ｔ３の時点で、荷重検出部１２により変更前の第１の入力解除荷重基準Ｆｒ１に達する押圧荷重が検出されたとしても、第１段階の入力の受け付けが解除されることはない。
【００５６】
ユーザは、ＡＥ及び/又はＡＦ処理が完了した後に、意識的に押圧力を強め、荷重検出部１２に変更後の第２の入力受付荷重基準Ｆａ’２を満たす押圧荷重を検出させることにより（ｔ４の時点）、シャッターを切ることができる。
【００５７】
このように、本実施の形態によれば、制御部１６は、荷重検出部１２が第１の入力解除荷重基準Ｆｒ１を満たし、かつ、第２の入力受付荷重基準Ｆａ２を満たしていない押圧荷重を所定時間連続して検出すると、新たに第１の入力解除荷重基準（変更後の第１の入力解除荷重基準）Ｆｒ’１（Ｆｒ’１＝Ａ−Ｂ／２）を設定すると共に、新たに第２の入力受付荷重基準（変更後の第２の入力受付荷重基準）Ｆａ’２（Ｆａ’２＝Ａ＋Ｂ／２）設定する。したがって、第１の入力解除荷重基準Ｆｒ１および第２の入力受付荷重基準Ｆａ２のうち少なくとも一方の荷重基準が、当該荷重基準から荷重検出部１２が検出している押圧荷重までの間隔が広がるように新たに設定されるため、第１段階の入力の受け付け状態を保ちたいにも関わらず、ユーザの意図しない押圧力の変化により、意図せず第１段階の入力の受け付けが解除されたり、第２段階の入力が新たに受け付けられたりする虞を低減することができる。
【００５８】
なお、本実施の形態においては、ステップＳ２０６において、第１の入力解除荷重基準Ｆｒ１および第２の入力受付荷重基準Ｆａ２を共に変更して、新たな荷重基準である第１の入力解除荷重基準Ｆｒ’１および第２の入力受付荷重基準Ｆａ’２を設定したが、これに限定されず、第１の入力解除荷重基準Ｆｒ１および第２の入力受付荷重基準Ｆａ２のうち一方の荷重基準のみ変更して、新たな荷重基準として、変更後の第１の入力解除荷重基準Ｆｒ’１と第２の入力受付荷重基準Ｆａ２、または第１の入力解除荷重基準Ｆｒ１と変更後の第２の入力受付荷重基準Ｆａ’２を設定してもよい。この際、制御部１６は、ｔ２の時点に荷重検出部１２が検出している押圧荷重Ａから第１の入力解除荷重基準Ｆｒ１までの間隔よりも変更後の変更後の第１の入力解除荷重基準Ｆｒ’１までの間隔が広がるように、または押圧荷重Ａから第２の入力受付荷重基準Ｆａ２までの間隔よりも変更後の第２の入力受付荷重基準Ｆａ’２までの間隔が広がるように制御すればよい。
【００５９】
また、本実施の形態においては、変更後の第１の入力解除荷重基準Ｆｒ’１、変更後の第２の入力受付荷重基準Ｆａ’２をそれぞれＦｒ’１＝Ａ−Ｂ／２、Ｆａ’２＝Ａ＋Ｂ／２となる荷重基準として設定しているが、これに限定されず、制御部１６は、ｔ２の時点に荷重検出部１２が検出している押圧荷重Ａから第１の入力解除荷重基準Ｆｒ１までの間隔よりも変更後の変更後の第１の入力解除荷重基準Ｆｒ’１までの間隔が広がるように、または押圧荷重Ａから第２の入力受付荷重基準Ｆａ２までの間隔よりも変更後の第２の入力受付荷重基準Ｆａ’２までの間隔が広がるように制御すればよい。
【００６０】
（第３実施の形態）
次に、本発明の第３実施の形態に係る電子機器について説明する。本発明の第３実施の形態は、上述した第１実施の形態において、図２で説明したステップＳ１０５における判断内容を変更する。第３実施の形態に係る電子機は、第１実施の形態で説明した電子機器と同じ構成により実施することができ、制御部１６の処理および動作が異なるものである。したがって、上述した第１実施の形態と同じ説明、同じ効果の記載は適宜省略する。
【００６１】
第３実施の形態について、図５のフローチャートを用いて入力処理を説明する。なお、図５のフローチャートにおいて、図２の同様の処理を行うステップには、図２と同じステップ番号を付与している。
【００６２】
第３実施の形態では、制御部１６は、ステップＳ１０４にて、荷重検出部１２が、第１の入力解除荷重基準Ｆｒ１を満たし、かつ、第２の入力受付荷重基準Ｆａ２を満たしていない押圧荷重を検出していると判断すると、ステップＳ３０５にて以下の処理を行う。ステップＳ３０５にて、制御部１６は、タッチセンサ１１のタッチ面１１ａをタッチしている指等のタッチ対象が、タッチ面１１ａをスライドしているか否か判断する。制御部１６が、指等のタッチ対象がタッチ面１１ａをスライドしていると判断すると、ステップＳ１０６に進み、スライドしていないと判断すると、ステップＳ１０４に戻る。
【００６３】
図６は、荷重検出部１２により検出される押圧荷重が変化する様子を表したグラフである。Ｘ軸方向は時間の推移を表し、Ｙ軸方向は荷重検出部１２が検出する押圧荷重を表す。図６において、ユーザがタッチセンサ１１のタッチ面１１ａをタッチした時点が原点であり、その時の押圧荷重は０である。
【００６４】
第３実施の形態において、制御部１６は、荷重検出部１２が、第１段階の入力を受け付けた後、第１の入力解除荷重基準Ｆｒ１を満たし、かつ、第２の入力受付荷重基準Ｆａ２を満たしていない押圧荷重を検出している際に、スライドを検出すると（ｔ２の時点）、第１の入力解除荷重基準Ｆｒ１より低い荷重基準を新たに第１の入力解除荷重基準（変更後の第１の入力解除荷重基準）Ｆｒ’１として設定すると共に、第２の入力受付荷重基準より高い荷重基準を新たに第２の入力受付荷重基準（変更後の第２の入力受付荷重基準）Ｆａ’２として設定する。
【００６５】
このように、荷重基準を変更することにより、ｔ３の時点で、荷重検出部１２により変更前の第２の入力受付荷重基準Ｆａ２に達する押圧荷重が検出されたとしても、第２段階の入力として、新たな入力が受け付けられることはない。
【００６６】
このように、本実施の形態によれば、制御部１６は、荷重検出部１２が第１の入力解除荷重基準Ｆｒ１を満たし、かつ、第２の入力受付荷重基準Ｆａ２を満たしていない押圧荷重を検出している際に、ｔ２の時点でスライドを検出すると、第１の入力解除荷重基準Ｆｒ１より低い荷重基準を新たに第１の入力解除荷重基準Ｆｒ’１として設定すると共に、第２の入力受付荷重基準より高い荷重基準を新たに第２の入力受付荷重基準Ｆａ’２として設定する。
【００６７】
このような構成にすることにより、例えば、電子機器に規定される処理として以下の処理が行われる場合に有効である。以下、その処理を列記する。
【００６８】
電子機器は、表示部１４に表示されている入力用オブジェクトへの第１段階の入力が受け付けられると入力用オブジェクトの選択処理を行い、この選択処理中に指等のタッチ対象がタッチ面１１ａをスライドすると、入力用オブジェクトのドラッグ処理を行う。また、電子機器は、入力用オブジェクトの選択処理またはドラッグ処理中に、第１の入力の受け付けが解除されると、入力用オブジェクトのドロップ処理を行い、また、入力用オブジェクトへの第２段階の入力が受け付けられると入力用オブジェクトに対応する実行処理を行う。
【００６９】
上述のような処理を行う電子機器においては、入力用オブジェクトのドラッグ処理中に、ユーザが適切に押圧力を調整できず、意に反して荷重検出部１２が検出する押圧荷重が、第１の入力解除荷重基準Ｆｒ１を満たさなくなってしまうと、意図しない位置にドラッグ処理中の入力用オブジェクトをドロップしてしまう虞がある。また同様に、入力用オブジェクトのドラッグ処理中に、ユーザが適切に押圧力を調整できず、意に反して荷重検出部１２が検出する押圧荷重が、第２の入力受付荷重基準Ｆａ２を満たしてしまうと、意図せず入力用オブジェクトに対応する実行処理を行ってしまう虞がある。特に、ユーザは、タッチ面１１ａに対するスライド操作を行っている場合、押圧力の調整が難しいので、上述した意図しない処理が行われる虞が高くなってしまう。
【００７０】
第３実施の形態によれば、制御部１６は、荷重検出部１２が第１の入力解除荷重基準Ｆｒ１を満たし、かつ、第２の入力受付荷重基準Ｆａ２を満たしていない押圧荷重を検出している際に、スライドを検出すると、第１の入力解除荷重基準Ｆｒ１より低い荷重基準を新たに第１の入力解除荷重基準Ｆｒ’１として設定すると共に、第２の入力受付荷重基準より高い荷重基準を新たに第２の入力受付荷重基準Ｆａ’２として設定するので、ユーザのスライド操作に基づくドラッグ処理中に、意図せず入力用オブジェクトをドロップしてしまう、又は意図せず入力用オブジェクトに対応する実行処理を行ってしまう虞を低減することができる。
【００７１】
なお、本実施の形態においては、ステップＳ１０６において、第１の入力解除荷重基準Ｆｒ１および第２の入力受付荷重基準Ｆａ２を共に変更して、新たな荷重基準である第１の入力解除荷重基準Ｆｒ’１および第２の入力受付荷重基準Ｆａ’２を設定したが、これに限定されず、第１の入力解除荷重基準Ｆｒ１および第２の入力受付荷重基準Ｆａ２のうち一方の荷重基準のみ変更して、新たな荷重基準として、変更後の第１の入力解除荷重基準Ｆｒ’１と第２の入力受付荷重基準Ｆａ２、または第１の入力解除荷重基準Ｆｒ１と変更後の第２の入力受付荷重基準Ｆａ’２を設定してもよい。この際、制御部１６は、変更後の第１の入力解除荷重基準Ｆｒ’１から第２の入力受付荷重基準Ｆａ２までの間隔、または第１の入力解除荷重基準Ｆｒ１から変更後の第２の入力受付荷重基準Ｆａ’２までの間隔が、第１の入力解除荷重基準Ｆｒ１から第２の入力受付荷重基準Ｆａ２までの間隔よりも広がるように制御すればよい。
【００７２】
（第４実施の形態）
次に、本発明の第４実施の形態に係る電子機器について説明する。本発明の第４実施の形態は、上述した第３実施の形態において、図５のステップＳ１０６における新たな荷重基準の設定の仕方を変更する。第４実施の形態に係る電子機器は、第１実施の形態で説明した電子機器と同じ構成により実施することができ、制御部１６の処理および動作が異なるものである。したがって、上述した第３実施の形態と同じ説明、同じ効果の記載は適宜省略する。
【００７３】
第４実施の形態について、第３実施の形態と同様に、図５のフローチャートを用いて入力処理を説明する。第４実施の形態では、制御部１６は、ステップＳ３０５にて、荷重検出部１２が、第１の入力解除荷重基準Ｆｒ１を満たし、かつ、第２の入力受付荷重基準Ｆａ２を満たしていない押圧荷重検出していると判断し、ステップＳ３０５にて、タッチセンサ１１のタッチ面１１ａをタッチしている指等のタッチ対象が、タッチ面１１ａをスライドしていると判断すると、ステップＳ１０６の処理を変更して、以下の通り処理を行う。この処理をステップＳ４０６の処理と称する。ステップＳ４０６にて、制御部１６は、ステップＳ３０５においてスライドを検出した時点に荷重検出部１２が検出している押圧荷重に基づき、新たに荷重基準を設定する。ステップＳ３０５におけるスライド検出時点に荷重検出部１２が検出している押圧荷重をＡ、第１の入力解除荷重基準Ｆｒ１から第２の入力受付荷重基準Ｆａ２までの間隔をＢとすると、ステップＳ４０６にて、変更後の第１の入力解除荷重基準Ｆｒ’１をＦｒ’１＝Ａ−Ｂ／２で表される荷重基準に、変更後の第２の入力受付荷重基準Ｆａ’２をＦａ’２＝Ａ＋Ｂ／２で表される荷重基準に変更して設定する。
【００７４】
図７は、荷重検出部１２により検出される押圧荷重が変化する様子を表したグラフである。Ｘ軸方向は時間の推移を表し、Ｙ軸方向は荷重検出部１２が検出する押圧荷重を表す。図７において、ユーザがタッチセンサ１１のタッチ面１１ａをタッチした時点が原点であり、その時の押圧荷重は０である。
【００７５】
第４実施の形態において、制御部１６は、第１段階の入力を受け付けた後、荷重検出部１２が、第１の入力解除荷重基準Ｆｒ１を満たし、かつ、第２の入力受付荷重基準Ｆａ２を満たしていない押圧荷重を検出している際に、スライドを検出すると、スライドを検出した時点（ｔ２の時点）で検出している押圧荷重Ａと、第１の入力解除荷重基準Ｆｒ１から第２の入力受付荷重基準Ｆａ２までの間隔をＢから、新たに第１の入力解除荷重基準（変更後の第１の入力解除荷重基準）Ｆｒ’１（Ｆｒ’１＝Ａ−Ｂ／２）を設定すると共に、新たに第２の入力受付荷重基準（変更後の第２の入力受付荷重基準）Ｆａ’２（Ｆａ’２＝Ａ＋Ｂ／２）設定する。このように、第１の入力解除荷重基準および第２の入力受付荷重基準をｔ２の時点において荷重検出部１２が検出している押圧荷重に基づき新たに設定することにより、ｔ３の時点で、荷重検出部１２により変更前の第１の入力解除荷重基準Ｆｒ１に達する押圧荷重が検出されたとしても、第１段階の入力の受け付けが解除されることはない。
【００７６】
このような構成にすることにより、例えば、第３実施の形態にて想定した処理を行う電子機器において、ユーザの意図しない入力受け付け解除、または新たな入力の受付による意に反した処理が行われることを低減することができる。
【００７７】
なお、本実施の形態においては、ステップＳ４０６において、第１の入力解除荷重基準Ｆｒ１および第２の入力受付荷重基準Ｆａ２を共に変更して、新たな荷重基準である第１の入力解除荷重基準Ｆｒ’１および第２の入力受付荷重基準Ｆａ’２を設定したが、これに限定されず、第１の入力解除荷重基準Ｆｒ１および第２の入力受付荷重基準Ｆａ２のうち一方の荷重基準のみ変更して、新たな荷重基準として、変更後の第１の入力解除荷重基準Ｆｒ’１と第２の入力受付荷重基準Ｆａ２、または第１の入力解除荷重基準Ｆｒ１と変更後の第２の入力受付荷重基準Ｆａ’２を設定してもよい。この際、制御部１６は、ｔ２の時点に荷重検出部１２が検出している押圧荷重Ａから第１の入力解除荷重基準Ｆｒ１までの間隔よりも変更後の変更後の第１の入力解除荷重基準Ｆｒ’１までの間隔が広がるように、または押圧荷重Ａから第２の入力受付荷重基準Ｆａ２までの間隔よりも変更後の第２の入力受付荷重基準Ｆａ’２までの間隔が広がるように制御すればよい。
【００７８】
また、本実施の形態においては、変更後の第１の入力解除荷重基準Ｆｒ’１、変更後の第２の入力受付荷重基準Ｆａ’２をそれぞれＦｒ’１＝Ａ−Ｂ／２、Ｆａ’２＝Ａ＋Ｂ／２となる荷重基準として設定しているが、これに限定されず、制御部１６は、ｔ２の時点に荷重検出部１２が検出している押圧荷重Ａから第１の入力解除荷重基準Ｆｒ１までの間隔よりも変更後の変更後の第１の入力解除荷重基準Ｆｒ’１までの間隔が広がるように、または押圧荷重Ａから第２の入力受付荷重基準Ｆａ２までの間隔よりも変更後の第２の入力受付荷重基準Ｆａ’２までの間隔が広がるように制御すればよい。
【００７９】
本発明を諸図面や実施例に基づき説明してきたが、当業者であれば本開示に基づき種々の変形や修正を行うことが容易であることに注意されたい。従って、これらの変形や修正は本発明の範囲内に含まれることに留意されたい。
【００８０】
本実施の形態においては、入力受付荷重基準と入力解除荷重基準を異なる基準として設定したが、基準の設定はこれに限定されず、入力受付荷重基準と入力解除荷重基準を同じ入力荷重基準として設定してもよい。つまり、制御部１６は、荷重検出部１２により検出される押圧荷重が入力荷重基準を満たすと入力を受け付けると共に、荷重検出部１２により検出される押圧荷重が入力荷重基準を満たさなくなると当該入力の受け付けを解除するように制御してもよい。
【００８１】
また、本実施の形態においては、タッチセンサを有する電子機器について説明したが、タッチセンサを有する電子機器に限定されず、メカスイッチを有する電子機器においても本発明は適用されうる。
【００８２】
また、本実施形態の説明における表示部１４およびタッチセンサ１１は、両機能を共通の基板に持たせることにより一体化した装置によって構成されてもよい。このような表示部１４とタッチセンサ１１との両機能を一体化した装置の構成の一例としては、液晶パネルが有するマトリクス状配列の画素電極群に、フォトダイオード等の複数の光電変換素子を規則的に混在させたものがある。この装置は、液晶パネル構造によって画像を表示する一方で、パネル表面の所望位置をタッチ入力するペンの先端で液晶表示用のバックライトの光を反射し、この反射光を周辺の光電変換素子が受光することにより、タッチ位置を検出することができる。
【００８３】
また、圧電素子は、圧力が加わると電力を発生し、電力が加えられると変形するため、圧電素子を用いて荷重検出部１２と触感呈示部１３を共用して構成することができる。あるいは、タッチセンサ１１は、抵抗の時間当たりの変化、あるいは静電容量の時間当たりの変化を検出できるため、荷重検出部１２とタッチセンサ１１を共用して構成することができる。
【図１】
2011099361.tif 000003
【図２】
2011099361.tif 000004
【図３】
2011099361.tif 000005
【図４】
2011099361.tif 000006
【図５】
2011099361.tif 000007
【図６】
2011099361.tif 000008
【図７】
2011099361.tif 000009
【図８】
2011099361.tif 000010
【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
押圧荷重に応じて複数段階の入力を受け付ける電子機器であって、
押圧による入力の押圧荷重を検出する荷重検出部と、
前記荷重検出部が、入力を受け付ける荷重基準を満たす押圧荷重を検出すると、入力を受け付け、入力を受け付けた後、入力の受け付けを解除する荷重基準を満たさない押圧荷重を検出すると、前記入力の受け付け状態を解除するように制御する制御部と、を備え、
前記制御部は、第１段階の入力を受け付けた後、前記荷重検出部が、第１段階の入力の受け付けを解除する第１の荷重基準を満たし、かつ、前記第１の荷重基準より高い第２段階の入力を受け付ける第２の荷重基準を満たしていない押圧荷重を所定時間連続して検出すると、前記第１の荷重基準および前記第２の荷重基準のうち少なくとも一方の荷重基準を、前記第１の荷重基準から前記第２の荷重基準までの間隔が広がるように制御することを特徴とする電子機器。
【請求項２】
押圧荷重に応じて複数段階の入力を受け付ける電子機器であって、
押圧による入力の押圧荷重を検出する荷重検出部と、
前記荷重検出部が、入力を受け付ける荷重基準を満たす押圧荷重を検出すると、入力を受け付け、入力を受け付けた後、入力の受け付けを解除する荷重基準を満たさない押圧荷重を検出すると、前記入力の受け付け状態を解除するように制御する制御部と、を備え、
前記制御部は、第１段階の入力を受け付けた後、前記荷重検出部が、第１段階の入力の受け付けを解除する第１の荷重基準を満たし、かつ、前記第１の荷重基準より高い第２段階の入力を受け付ける第２の荷重基準を満たしていない押圧荷重を所定時間連続して検出すると、前記第１の荷重基準および前記第２の荷重基準のうち少なくとも一方の荷重基準を、当該荷重基準から前記荷重検出部が検出している押圧荷重までの間隔が広がるように制御することを特徴とする電子機器。
【請求項３】
押圧荷重に応じて複数段階の入力を受け付ける電子機器であって、
タッチを検出するタッチセンサと、
前記タッチセンサのタッチ面に対する押圧荷重を検出する荷重検出部と、
前記荷重検出部が、入力を受け付ける荷重基準を満たす押圧荷重を検出すると、入力を受け付け、入力を受け付けた後、入力の受け付けを解除する荷重基準を満たさない押圧荷重を検出すると、前記入力の受け付け状態を解除するように制御する制御部と、を備え、
前記制御部は、第１段階の入力を受け付けた後、前記荷重検出部が、第１段階の入力の受け付けを解除する第１の荷重基準を満たし、かつ、前記第１の荷重基準より高い第２段階の入力を受け付ける第２の荷重基準を満たしていない押圧荷重を検出している際に、前記タッチ面をタッチしているタッチ対象によるスライドを検出すると、前記第１の荷重基準および前記第２の荷重基準のうち少なくとも一方の荷重基準を、前記第１の荷重基準から前記第２の荷重基準までの間隔が広がるように制御することを特徴とする電子機器。
【請求項４】
押圧荷重に応じて複数段階の入力を受け付ける電子機器であって、
タッチを検出するタッチセンサと、
前記タッチセンサのタッチ面に対する押圧荷重を検出する荷重検出部と、
前記荷重検出部が、入力を受け付ける荷重基準を満たす押圧荷重を検出すると、入力を受け付け、入力を受け付けた後、入力の受け付けを解除する荷重基準を満たさない押圧荷重を検出すると、前記入力の受け付け状態を解除するように制御する制御部と、を備え、
前記制御部は、第１段階の入力を受け付けた後、前記荷重検出部が、第１段階の入力の受け付けを解除する第１の荷重基準を満たし、かつ、前記第１の荷重基準より高い第２段階の入力を受け付ける第２の荷重基準を満たしていない押圧荷重を検出している際に、前記タッチ面をタッチしているタッチ対象によるスライドを検出すると、前記第１の荷重基準および前記第２の荷重基準のうち少なくとも一方の荷重基準を、当該荷重基準から前記荷重検出部が検出している押圧荷重までの間隔が広がるように制御することを特徴とする電子機器。
【国際調査報告】
2011099361.tif 000011
2011099361.tif 000012